(57)【特許請求の範囲】
【請求項１】
透液性トップシートと、不透液性バックシートと、これらシート間に介在する吸液性コアとから構成され、かつ、前記バックシートが前記トップシート及び前記コアに接する透湿性プラスチックフィルムと、その外面に一体的にラミネートされた透湿性繊維質シートとから構成されている体液処理用吸収性物品において、
前記繊維質シートが、少なくとも、前記プラスチックフィルムの外面に接する第１成分層とこれの外面に接する第２成分層とから構成され、前記第１成分層の体液濡れ特性が前記第２成分層のそれよりも高いとともに、前記第２成分層が前記吸収性物品の最外面を形成していることを特徴とする前記吸収性物品。
【請求項２】
前記第１成分層の少なくとも一部の繊維が親水性を、かつ、前記第２成分層の少なくとも一部の繊維が疎水性を有する請求項１に記載の吸収性物品。
【請求項３】
前記第１成分層と前記第２成分層とが互いに融着している請求項１に記載の吸収性物品。
【請求項４】
前記第１成分層と前記第２成分層とが互いに繊維交絡している請求項１に記載の吸収性物品。
【請求項５】
前記第１成分層と前記第２成分層とがそれら間に間欠的に分布する接着剤で接合している請求項１に記載の吸収性物品。
【請求項６】
前記第２成分層が多数の開口部を有している請求項１に記載の吸収性物品。
【請求項７】
前記第１成分層と第２成分層とが多数の開口部を有している請求項１に記載の吸収性物品。
【発明の詳細な説明】
【０００１】
【発明が属する分野】
この発明は、体液処理用吸収性物品に関し、特に、使い捨ておむつ、失禁パッド又はパンツ、生理用ナプキン又はパッドなどの吸収性物品に関する。
【０００２】
【従来の技術】
従来、透液性トップシートと、不透液性バックシートと、吸液性コアとから構成された使い捨ておむつにおいては、不透液性バックシートとして、一般に透湿性プラスチックフィルムが用いられている。一方、不透液性バックシートとして、透湿性プラスチックフィルムの外面に不織布がラミネートされたものも用いられている。
【０００３】
【発明が解決しようとする課題】
前記透湿性プラスチックフィルムからなる不透液性バックシートにおいては、その透湿作用により、おむつの着用中におけるおむつ内の蒸れを抑制又は緩和するうえで好ましい反面、湿気がバックシートを透過してその外面に微粒子の水分として付着する。このため、バックシートの外面が湿っぽい感じとなり、例えば、母親らがおむつを着用した幼児を抱いたとき、母親らに不快感を与える。また同様に、その水分がベビードレスや敷布などの寝具類に移行し、あたかも尿が小量もれたかのように湿っぽくなり不快感を与える。
【０００４】
一方、前記透湿性プラスチックフィルムと不織布とのラミネートからなる不透液性バックシートにおいては、前記透湿性プラスチックフィルムからなる不透液性バックシートにおける前記問題点が若干改善されるが、前記不織布は前記水分をその外面へ移行させないようには構成されていないので、前記問題点が依然として残されている。
【０００５】
この発明の課題は、前記透湿性プラスチックフィルムにラミネートされる不織布などの透湿性繊維質シートの繊維構成を創作することにより、前記問題点を解決することにある。
【０００６】
【課題を解決するための手段】
この発明に係る体液処理用吸収性物品は、透液性トップシートと、不透液性バックシートと、これらシート間に介在する吸液性コアとから構成され、かつ、前記バックシートが前記トップシート及び前記コアに接する透湿性プラスチックフィルムと、その外面に一体的にラミネートされた透湿性繊維質シートとから構成されている体液処理用吸収性物品の改良に係わる。
【０００７】
この発明は、前記構成において、前記繊維質シートが、少なくとも、前記プラスチックフィルムの外面に接する第１成分層と前記繊維質シートが、少なくとも、前記プラスチックフィルムの外面に接する第１成分層とこれの外面に接する第２成分層とから構成され、前記第１成分層の体液濡れ特性が前記第２成分層のそれよりも高いとともに、前記第２成分層が前記吸収性物品の最外面を形成していることを特徴としている。
【０００８】
この発明においては、少なくとも次の実施の形態、即ち、前記第１成分層の少なくとも一部の繊維が親水性を、かつ、前記第２成分層の少なくとも一部の繊維が疎水性を有すること、前記第１成分層と前記第２成分層とが互いに融着していること、前記第１成分層と前記第２成分層とが互いに繊維交絡していること、前記第１成分層と前記第２成分層とがそれら間に間欠的に分布する接着剤で接合していること、前記第２成分層が多数の開口部を有していること、及び前記第１成分層と第２成分層とが多数の開口部を有していることを含む。
【０００９】
【実施の形態】
図面を参照して、この発明に係る体液処理用吸収性物品の実施の形態を、使い捨ておむつを例にして説明すると、以下のとおりである。
【００１０】
図１において、使い捨ておむつは、積層パネル１を有する。積層パネル１は、透液性トップシート２と、不透液性バックシート３と、これらシートの間に介在する吸液性コア４とから構成されている。トップシート２及びバックシート３は、コア４の外周縁から適宜寸法だけ外方へ延出する大きさを有し、それら延出部分によって可撓性エンド及びサイドフラップ５，６を形成している。両サイドフラップ６は、積層パネル１の両端領域、即ち、腰回り領域を残して、それらの外側部が凹欠する脚回り縁部７を形成している。エンドフラップ５には、これに沿って複数本の弾性糸又はリボンからなる腰回り弾性部材８が伸長下にホットメルト接着剤（図示せず）を介してトップシート２とバックシート３との間に介在している。同様に、サイドフラップ６には、脚回り縁部７に沿って複数本の弾性糸又はリボンからなる脚回り弾性部材９が伸長下にホットメルト接着剤（図示せず）を介してトップシート２とバックシート３との間に介在している。おむつの着用時、前後腰回り領域の両側部を締結するための公知のテープファスナー１０が、該後腰回り領域の両側縁から外側へ延出している。
【００１１】
トップシート２は、一般に、従来、使い捨ておむつにおけるそれとして知られている材料、例えば、繊維不織布、多数の開口部を有するプラスチックシートが用いられる。コア４もまた、従来、使い捨ておむつにおけるそれとして知られている材料、例えば、フラッフパルプと、水不溶性かつ高吸水性であるヒドロゲル粒子との混合からパネル状に形成され、その上下面が吸水性シートで被覆されたものが用いられる。
【００１２】
図２において、バックシート３は、一般に、従来、使い捨ておむつにおけるそれとして知られている透湿性プラスチックフィルム１１と、その外面に一体的にラミネートされた透湿性繊維質シート１２とから構成されている。前記透湿性プラスチックフィルム１１に関しては、当業者には自明であるように、例えば、ポリオレフィン系合成樹脂と無機質粒子との混合物から成形されたフィルムが延伸処理されて微細孔が付与されたものが挙げられるが、さらに詳細な説明は要しないであろう。透湿性プラスチックフィルム１１と繊維質シート１２とのラミネートは、図示されていないが、公知の接合手段、例えば、熱溶着やホットメルト接着剤でなされている。またその接合態様も、全面接合や間欠的接合などの公知の手法が採択され得る。
【００１３】
繊維質シート１２は、透湿性プラスチックフィルム１１に接する第１成分層１２ａと、第１成分層１２ａに接する第２成分層１２ｂとから構成されている。第１成分層１２ａの体液濡れ特性は、第２成分層１２ｂのそれよりも高くされている。繊維質シート１２は、図示されていないが、二層以上であってもよい。ここに「体液濡れ特性」とは、体液が第１及び第２成分層１２ａ，１２ｂに接したとき、該層が体液で濡れてこれに体液が付着し得る性質及び／又は体液を吸収し得る性質をいう。
【００１４】
繊維質シート１２は、一般的には、目付１０〜４５ｇ／ｍ２を有している。第１成分層１２ａは、目付５〜２０ｇ／ｍ２を有し、木材パルプ繊維、レイヨン繊維、アセテート繊維、コットン繊維、その他親水化合成繊維などの親水性材料の単独又は組合せを素材としている。第２成分層１２ｂは、目付１０〜２５ｇ／ｍ２を有し、ポリオレフィン系繊維、ポリエステル系繊維、ポリアミド系繊維などの疎水性材料の単独又は組合せを素材としている。前記合成繊維としては、低融点樹脂成分と高融点樹脂成分との芯鞘型又はサイド−バイ−サイド型のコンジュゲート繊維も用いられる。第１成分層１２ａは、これが木材パルプを主材としてなる場合には、例えば、ティッシュペーパーである場合には、抄紙法で製造することができるが、それ以外の繊維からなる第１成分層１２ａ、及び第２成分層１２ｂの場合には、メルトブローン、スパンレース、ニードルパンチ、サーマルボンド、スパンボンド、ケミカルボンドの不織布が用いられる。第１成分層１２ａと第２成分層１２ｂとは、相対的に、前者の体液濡れ特性が後者のそれよりも高くなっている繊維構成であればよく、したがって、その特性が得られる限り、前者が疎水性繊維を、かつ、後者が親水性繊維を適宜量含んでいてもよい。前記繊維の繊度は、一般的には、０．５〜１２ｄを有しているが、第２成分層１２ｂの繊維の繊度は、第１成分層１２ａのそれよりも高くされていることが好ましい。また、繊維質シート１２は、一般的には、密度０．１５〜１．５ｇ／ｍ３を有しているが、第２成分層１２ｂの繊維密度は、第１成分層１２ａのそれよりも高いことが好ましい。このように繊度及び密度が規制されていると、透湿性プラスチックフィルム１１を透過した水分が第２成分層１２ｂをも透過してその外面に浸出するおそれが少なくなるうえ、肌ざわりが良好になる。
【００１５】
第１成分層１２ａと第２成分層１２ｂとは、公知の熱処理（熱エンボス処理を含む）による融着、公知の高速水流処理による繊維交絡、間欠的に分布するように塗布される公知のホットメルト接着剤のいずれかにより接合している。
【００１６】
図３における繊維質シート１２においては、第２成分層１２ｂだけを貫通し互いに独立した開口部１３が、かつ、図４における繊維質シート１２においては、第１及び第２成分層１２ａ，１２ｂを共に貫通し互いに独立した開口部１４を有している。これら開口部１３，１４の外面（図３，４では下面）における開口径寸法は０．１５〜６．０ｍｍであり、開口面積比率は３０〜７０％であることが好ましい。このように開口比率を規制してあると、繊維質シート１２の繊維密度及び繊維間の融着割合（面積率）が比較的高い場合でも、プラスチックフィルム１１の透湿性がおむつに与える利点である物品内外の通気性を殆ど阻害することがない。
【００１７】
【発明の効果】
この発明に係る物品においては、透湿性プラスチックフィルムにラミネートされた透湿性繊維質シートが少なくとも第１成分層とこれに接する第２成分層とから構成され、第１成分層の体液濡れ特性が第２成分層のそれよりも高いから、透湿性プラスチックフィルムを透過した水分が第１成分層に捕捉されてこれに付着又は吸収され、その水分が第２成分層を透過してその外面に付着することがなく、そのため、その水分によって、バックシート（第２成分層）の外面が湿っぽい感じとなったり、ベビードレスや敷布などの寝具類に移行して湿っぽくなったりして、母親などに不快感を与えるようなことがない。
【図面の簡単な説明】
【図１】この発明に係る物品の一例としての使い捨ておむつの一部破断展開平面図。
【図２】前記おむつのバックシートの部分拡大断面図。
【図３】前記バックシートの別形態の部分拡大断面図。
【図４】前記バックシートのさらに別形態の部分拡大断面図。
【符号の説明】
１    体液処理用吸収性物品（積層パネル）
２    トップシート
３    バックシート
４    コア
１１    プラスチックフィルム
１２    繊維質シート
１２ａ  第１成分層
１２ｂ  第２成分層
１３，１４  開口部
【図１】
0003754528.tif 000002
【図２】
0003754528.tif 000003
【図３】
0003754528.tif 000004
【図４】
0003754528.tif 000005